(57)【要約】【課題】衛生的なブロアー機能とブロアーで吹き飛ばした塵を回収することが出来る使い勝手のよい空気噴射装置を提供する。【解決手段】吸引力が作用する吸引室６と、空気を噴射する噴射口７と連通する噴射室１１と、前記吸引室６に配され吸引力により動作する吸引ファン５と、前記噴射室１１に配され噴射力を発生する噴射ファン１０と、前記吸引ファン５の動力を前記噴射ファン１０へ伝達する回転軸１４を備え、前記吸引室６に連通する吸引口２を、前記噴射口７の近傍の後方に設けたもので、電気掃除機等の吸引発生装置（図示せず）を吸引室６に連通させるだけで、その装置の形態に左右されず、衛生的なブロアー機能とブロアーで吹き飛ばした塵を回収することが出来る。【選択図】図１
2011147629.tif 000002
【特許請求の範囲】
【請求項１】
吸引力が作用する吸引室と、空気を噴射する噴射口と連通する噴射室と、前記吸引室に配され吸引力により動作する吸引ファンと、前記噴射室に配され噴射力を発生する噴射ファンと、前記吸引ファンの動力を前記噴射ファンへ伝達する動力伝達手段を備え、前記吸引室に連通する吸引口を、前記噴射口の近傍の後方に設けた空気噴射装置。
【請求項２】
噴射口と吸引口を回転自在に設けた請求項１に記載の空気噴射装置。
【請求項３】
噴射口と吸引口を覆うカバーを設けた請求項１または２に記載の空気噴射装置。
【請求項４】
動力伝達手段を、吸引ファンの動力を加速して噴射ファンを動作させる加速手段で構成した請求項１〜３のいずれか１項に記載の空気噴射装置。
【請求項５】
吸引ファンの裏面に噴射ファンを一体に設けた請求項１〜４のいずれか１項に記載の空気噴射装置。
【請求項６】
一体化ファンの周囲を、吸引室と噴射室を隔離する隔離壁で回転自在に保持した請求項５に記載の空気噴射装置。
【請求項７】
吸引ファンをシロッコファンで形成し、吸引室の前記シロッコファンの中心に、吸引口から吸引された空気を排出する排出口を設けた請求項１〜６の少なくともいずれか１項に記載の空気噴射装置。
【請求項８】
塵埃吸引用の電動送風機と、塵埃を捕集する集塵室と、前記集塵室に連通すると共に請求項１〜７のいずれか１項に記載された空気噴射装置が装備されたホースを備えた電気掃除機。
【発明の詳細な説明】
【技術分野】
【０００１】
本発明は、空気を噴射することにより塵埃を吹き飛ばす空気噴射装置及びそれを用いた電気掃除機に関するものである。
【背景技術】
【０００２】
塵埃を吹き飛ばす機能（以下、ブロアー機能と称す）を備えた従来の空気噴射装置として、電気掃除機の排気をブロアーに利用した形態が挙げられる（例えば、特許文献１参照）。図１３は、従来のブロアー機能を備えた電気掃除機の全体図、図１４は、同電気掃除機の通常使用時の横断面図、図１５は、同電気掃除機のブロアー機能使用時の横断面図である。
【０００３】
図１３、１４において、２１は、電気掃除機本体で、電動送風機３０、集塵室３１を内蔵している。３２は、接続口で、集塵室３１に連通すると共に、ホース２２の一端に配した接続パイプ３３が接続される。吸込口体３４は、ホース２２の他端に配した手元操作部２５もしくは延長管３５を介して集塵室３１と連通接続される。
【０００４】
３６は、電動送風機支持壁であり、上下２分割構成をとることで電動送風機３０の後端を軟質ゴム３７を介して挟持する。３８は、電動送風機３０から排出される気流３９を電気掃除機本体２１の外部へ排出する排気口であり、電動送風機３０と排気口３８を連通する排気通路４０は、電動送風機支持壁３６と隔離壁４１とで閉ざされた空間を形成する。さらに、４２は、回動軸４３により開閉自在な開閉蓋体であり、開閉蓋体４２の凸部４４は，接続パイプ３３を連通接続できる構成となっている連結口４５にはまり込む構成をとると共に接続パイプ３３を連通接続した際には、電動送風機支持壁３６と当接し排気通路４０を遮断する構成をとっている。
【０００５】
以上のように構成された従来の電気掃除機において、図１４に示すように、通常の掃除作業時には、接続口３２から吸引された気流３９は、電動送風機３０から排気通路４０を経て排気口３８から排出される。なお、この時開閉蓋体４２は閉じた状態にあり、開閉蓋体４２の凸部４４が連結口４５にはまり込むことで外部からの空気の流入を防止している。次に、図１５に示すように、ブロアー使用時に接続パイプ３３を連結口４５に連通接続すれば、開閉蓋体４２が回動し、それが電動送風機支持壁３６と当接する位置で停止することで排気通路４０を遮断するため、接続口３２から吸引された気流３９は電動送風機３０から排気通路４０の途中まで経て連結口４５さらにはホース２２や延長管３５を経て外部へ噴射されるようになっている。
【先行技術文献】
【特許文献】
【０００６】
【特許文献１】特開２０００−２１７７４６号公報
【発明の概要】
【発明が解決しようとする課題】
【０００７】
しかしながら、上記従来の電気掃除機の排気をブロアーに利用した形態では、実際はクリーンな排気であっても、塵埃を吸引した排気を利用するという面で、不衛生なイメージが抱かれたり、塵埃の吸引に使用しているホースや延長管等の吸引経路に付着した微量な塵埃が噴出する恐れがあるなど、衛生面で懸念されて利用機会が減り、近年はこの形態でのブロアー機能付きの電気掃除機は少なくなっている。また、単にブロアーするだけでは、塵が舞い散ってしまい、近年の気密性の高い住宅状況では、単に塵を拡散するだけで、
かえって使いづらい機能ともなっている。
【０００８】
一方、吸引だけでは、負圧が掃除対象に作用するまで、吸引口（以下ノズル）を近接させる必要があり、近接させると、掃除対象が吸いついて破損したり、傾いたり、吸込まれたりする事があり、掃除し難いケースも存在する。例えば、造花などの吸引では壊れてしまう置物、ノズルで直接触ると傾いてしまう壁掛けの額や時計、ノズルが届き辛い照明器具の傘や天井などの高所、直接電気掃除機の汚れたノズルを触れさせたくない手で触る物（電話機やＦＡＸ機器）、誤吸引してしまう恐れのある小物の入った引き出しの中など、これらの場所も、簡単に掃除したいという要望はあり、そういう商品の開発が望まれていた。
【０００９】
本発明は、以上のような従来の課題を解決するもので、電気掃除機等の吸引発生装置の形態に左右されず、衛生的なブロアー機能とブロアーで吹き飛ばした塵を回収することが出来る、使い勝手のよい空気噴射装置及びそれを用いた電気掃除機を提供することを目的としている。
【課題を解決するための手段】
【００１０】
上記従来の課題を解決するために、本発明の空気噴射装置は、吸引力が作用する吸引室と、空気を噴射する噴射口と連通する噴射室と、前記吸引室に配され吸引力により動作する吸引ファンと、前記噴射室に配され噴射力を発生する噴射ファンと、前記吸引ファンの動力を前記噴射ファンへ伝達する動力伝達手段を備え、前記吸引室に連通する吸引口を、前記噴射口の近傍の後方に設けたもので、電気掃除機等の吸引発生装置を吸引室に連通させるだけで、その装置の形態に左右されず、衛生的なブロアー機能とブロアーで吹き飛ばした塵を回収することが出来る。
【００１１】
また、本発明の電気掃除機は、塵埃吸引用の電動送風機と、塵埃を捕集する集塵室と、前記集塵室に連通すると共に請求項１〜７のいずれか１項に記載された空気噴射装置が装備されたホースを備えたもので、通常の掃除を行いながら、必要な際に、空気噴射装置をホースの先端に装着できる便利な電気掃除機を提供できる。
【発明の効果】
【００１２】
本発明の空気噴射装置及びそれを用いた電気掃除機は、吸引室に吸引力が作用することで噴射口から空気を噴射するもので、電気掃除機等の吸引発生装置の形態に左右されず、衛生的なブロアー機能とブロアーで吹き飛ばした塵を回収することが出来るので、吸引だけでは掃除できない場所も簡単に掃除できる、使い勝手のよい空気噴射装置及びそれを用いた電気掃除機を提供することが可能となる。
【図面の簡単な説明】
【００１３】
【図１】本発明の実施の形態１における空気噴射装置の断面図
【図２】図１のＡ−Ａ断面図
【図３】図１のＢ−Ｂ断面図
【図４】同空気噴射装置の他の例を示す断面図
【図５】同空気噴射装置の他の例を示す断面図
【図６】同空気噴射装置の他の例を示す断面図
【図７】本発明の実施の形態２における空気噴射装置の部分断面図
【図８】本発明の第３の実施の形態における電気掃除機の全体構成を示す図
【図９】同電気掃除機の手元操作部と空気噴射装置の断面図
【図１０】同空気噴射装置によるブロアー掃除時を示す断面図
【図１１】本発明の第４の実施の形態における電気掃除機の手元操作部の構成を示す図
【図１２】同手元操作部に設けた空気噴射装置の使用時の様子を示す図
【図１３】従来のブロアー機能を備えた電気掃除機の全体図
【図１４】同電気掃除機の通常使用時の横断面図
【図１５】同電気掃除機のブロアー機能使用時の横断面図
【発明を実施するための形態】
【００１４】
第１の発明は、吸引力が作用する吸引室と、空気を噴射する噴射口と連通する噴射室と、前記吸引室に配され吸引力により動作する吸引ファンと、前記噴射室に配され噴射力を発生する噴射ファンと、前記吸引ファンの動力を前記噴射ファンへ伝達する動力伝達手段を備え、前記吸引室に連通する吸引口を、前記噴射口の近傍の後方に設けたもので、電気掃除機等の吸引発生装置を吸引室に連通させるだけで、その装置の形態に左右されず、衛生的なブロアー機能とブロアーで吹き飛ばした塵を回収することが出来る。
【００１５】
一般的な吸引による清掃では、ノズルを掃除対象に近接させる必要があるため、掃除対象がノズルに吸い付いて破損したり、傾いたり、吸込まれたりし、吸引力の微調整は使い手側では難しいが、噴射ファンによる噴射風（ブロアー）だと、掃除対象から離れた場所から作用するので、使い手側が対象の塵や埃を吹き飛ばす位置までの距離を容易に調整することが出来る。また、舞上がった塵や埃は、周辺の空気と一緒に吸引室を通して吸引されるので、掃除対象に近接しなくても、塵や埃を回収でき、吸引だけでは掃除できない場所も簡単に掃除できる。
【００１６】
第２の発明は、特に、第１の発明の噴射口と吸引口を回転自在に設けたもので、部屋の隅などブロアーが反射し、噴射口の方向と塵の舞上がり方向が異なる場合でも、吸引口を自在に回転させて塵方向に向ける事ができるので、塵や埃を確実に回収出来る。
【００１７】
第３の発明は、特に、第１又は第２の発明の噴射口と吸引口を覆うカバーを設けたもので、ブロアーされて舞上がる塵を、カバー内に留め拡散するのを防ぎ、同じくカバー内の吸引口で確実に回収出来る。
【００１８】
第４の発明は、特に、第１〜３のいずれか一つの発明の動力伝達手段を、吸引ファンの動力を加速して噴射ファンを動作させる加速手段で構成したもので、噴射ファンの回転数を加速して回転できるので、容易に噴射量を増加させたり、または噴射量を維持して噴射ファンの小型化が可能となる。
【００１９】
第５の発明は、特に、第１〜４のいずれか一つの発明の吸引ファンの裏面に噴射ファンを一体に設けたもので、動力伝達部がなく、動力のロスがない上に、ファン部が単一になる等、部品点数を大幅に削減でき構成が簡単で低コスト化が可能となる。
【００２０】
第６の発明は、特に、第５の発明の一体化ファンの周囲を、吸引室と噴射室を隔離する隔離壁で回転自在に保持したもので、軸受け部が省けるので、極めて構成が簡単で低コストでできる。また軸受けの支柱が吸排気に支障をきたす事もない。
【００２１】
第７の発明は、特に、第１〜６のいずれか一つの発明の吸引ファンをシロッコファンで形成し、吸引室の前記シロッコファンの中心に、吸引口から吸引された空気を排出する排出口を設けたもので、吸引口の略対比した位置に排出口を設けないので、吸引室がコンパクトになり、空気噴射装置を電気掃除機のホース等に装着した際に、扱いやすく、コンパクトな空気噴射装置を提供することができる。
【００２２】
第８の発明に係る電気掃除機は、塵埃吸引用の電動送風機と、塵埃を捕集する集塵室と、前記集塵室に連通すると共に請求項１〜７のいずれか１項に記載された空気噴射装置が
装備されたホースを備えたもので、通常の掃除を行いながら、必要な際に、空気噴射装置をホースの先端に簡単に装着できる便利な電気掃除機を提供できる。
【００２３】
以下、本発明の実施の形態について、図面を参照しながら説明する。なお、この実施の形態によって本発明が限定されるものではない。
【００２４】
（実施の形態１）
図１は、本発明の実施の形態１における空気噴射装置の断面図、図２は、図１のＡ−Ａ断面図、図３は、図１のＢ−Ｂ断面図である。
【００２５】
図１〜３において、１は、本実施の形態における空気噴射装置で、吸引口２を有し垂直方向に９０度回転可能な吸引管３と、吸引管３と排出口４を連通し、内部に吸引ファン５を装備した吸引室６と、噴射口７を有し垂直方向に９０度回転可能な噴射管８と、噴射管８と第２の吸引口９を連通し、内部に噴射ファン１０を装備した噴射室１１と、吸引室６の底面に配され、噴射室１１と回転自在に連結保持した連結部１２と、連結部１２に固定された軸受１３と、軸受１３で回転自在に保持されると共に、両端に吸引ファン５と噴出ファン１０を保持した動力伝達手段である回転軸１４から構成されている。
【００２６】
また、吸引ファン５と噴出ファン１０は、シロッコ形のファンで形成し、排出口４は吸引室６上の吸引ファン５の回転中心部に、第２の吸引口９は、噴射室１１上の噴射ファン１０の回転中心部に、それぞれ連結部１２とは反対側の面に開口して配されている。ここで、吸引口２を有する吸引管３は、噴射口７を有する噴射管８より短くしており、同方向に揃えた場合に、噴射口７の後方に吸引口２が位置するようになっている。
【００２７】
以上のように構成された本実施の形態における空気噴射装置の動作、作用は以下の通りである。吸引室６の排出口４を、電気掃除機などの吸引作用を生み出すことができる機器と連通接続されたホースもしくは延長管に連通接続する。そして機器を運転すると、排出口４から空気が吸引されることで、吸引口２より空気が吸引室６に流入し、吸引ファン５を回転させる。
【００２８】
吸引ファン５の回転力は、軸受１３で保持された回転軸１４を介して噴射ファン１０を回転させ、噴射ファン１０が回転することで、第２の吸引口９より空気が噴射室１１内に吸引されて圧縮されて、噴射管８の噴射口７より勢い良く外部に噴射される。
【００２９】
噴射された空気は、掃除対象物に堆積した塵や埃を吹き飛ばし、吹き飛ばされた塵や埃は、その場で舞上がり、噴射口７の後方に位置する吸引口２より周辺の空気と一緒に吸引され機器によって回収される。
【００３０】
このように、吸引作用を発生させる機器であればその種類は問わず、排出口４と吸引を発生させる機器と接続さえすれば、吸引作用を噴射作用に変換でき、噴射で吹き飛ばした塵や埃も、同時に回収する極めて使い勝手が良く衛生的な空気噴射装置を提供できる。
【００３１】
また吸引の掃除では、ノズルを近接させる必要があり、掃除対象が吸い付いて破損したり、傾いたり、吸込まれたりして、吸引力の微調整は使い手側では難しい。しかしながら、ブロアーだと離れた場所から作用するので、使い手側が、対象の塵や埃を吹き飛ばす位置までの距離を調整することが出来る上に、舞上がった塵や埃は、周辺の空気と一緒に吸引出来るので、掃除対象に近接しなくても、塵や埃を回収でき、吸引だけでは掃除できない場所も簡単に掃除できる。
【００３２】
また部屋の隅などブロアーが反射し、噴射口７の方向と塵の舞上がり方向が異なる場合
でも、連結部１２を回転させて吸引口２を塵の方向に向ける事で、塵を吸引し回収することが出来る。
【００３３】
なお、図４のように、排出口４を、吸引室６の吸引ファン５を介した反対側に設けても、全長が長くなるが、上下方向の薄い形態となり、上記実施の形態１と同様の効果を得ることは言うまでもない。
【００３４】
また図５のように、噴射口７と吸引口２を覆うカバー１５を装着すると、ブロアーされて舞上がる塵は、カバー１５内に留め周囲に拡散されるのを防ぐことが出来る上に、同じくカバー１５内に吸引口２があるので、より確実に塵を回収出来る。
【００３５】
一方、図６のように、上述の回転軸１４を動力伝達手段とする他に、吸引ファン５を軸支する回転軸Ａ１６と、噴射ファン１０を軸支する回転軸Ｂ１７とを独立のものとし、それぞれの回転軸Ａ１６、回転軸Ｂ１７をベルトやギヤなどの加速手段（図示せず）を介して動力を伝達する構成をとれば、噴射ファン１０を、吸引ファン５の回転数より早い回転数に加速して回転できるので、容易に噴射量を増加、または噴射量を維持して噴射ファン１０の小型化が可能となるなど、より自由度が広がる。
【００３６】
（実施の形態２）
図７は、本発明の第２の実施の形態における空気噴射装置の部分断面図である。なお、上記実施の形態１と同一構成部品については同一符号を付して、その説明を省略する。図７において、本実施の形態における空気噴射装置は、吸引室６と噴射室１１とを、隔離壁１８と吸引ファン５とで隔離し、吸引ファン５の外周に溝１９を、裏面に噴射ファン１０をそれぞれ設けると共に、溝１９に適合し吸引ファン５を回転自在に保持する半球形の保持体２０を、隔離壁１８に数箇所配したものである。ここで、吸引室６と噴射室１１は、隔離壁１８と吸引ファン５で仕切られる様に、双方がオーバーラップしており、両者の空気が混合する事はない。
【００３７】
以上のように構成された本実施の形態における空気噴射装置の動作を、以下に説明する。排出口４に連通接続された機器の運転により、排出口４から空気が吸引されると、吸引口２より空気が吸引室６へ流入し、保持体２０で回転自在に保持されている吸引ファン５が回転すると、同時に噴出ファン１０が回転し、噴射管８より空気の噴射が始まる。
【００３８】
よってこの実施の形態では、吸引ファン５と噴射ファン１０との間の動力伝達部がなく動力のロスがない上に、吸引ファン５と噴射ファン１０が単一になる等、部品点数を大幅に削減でき極めて構成が簡単で低コスト化が可能となる。また軸受けの支柱が吸排気に支障を与える事もない。
【００３９】
（実施の形態３）
図８は、本発明の第３の実施の形態における電気掃除機の全体構成を示す図、図９は、同電気掃除機の手元操作部と空気噴射装置の断面図、図１０は、同空気噴射装置によるブロアー掃除時を示す断面図である。なお、上記実施の形態と同一構成部品については同一符号を付して説明を省略する。図８〜図１０において、本実施の形態における電気掃除機は、塵埃を吸引する電動送風機２８と塵埃を捕集する集塵室２９を内蔵した電気掃除機本体２１と、一端が電気掃除機本体２１に連通接続され、他端に手元操作部２５を有するホース２２と、上記実施の形態で述べた空気噴射装置１を備えている。空気噴射装置１には、Ｕ字型の支持台２３を設け、支持台２３の両側の支柱の内向きには、円をＨカットした凸部２４を設け、手元操作部２５の側面には、凸部２４がはまり込む、凹状で円形の回動支点２６と後方に伸びるレール２７が設けられている。
【００４０】
以上のように構成された本実施の形態における電気掃除機の動作を説明する。
通常の吸引による掃除を行うときは、図９に示すように、空気噴射装置１は、ホース２２の手元操作部２５の下方に、レール２７に沿って後方に保持されており、なんら支障なく吸引掃除を行うことが出来る。
【００４１】
ブロアーによる掃除が必要になった際には、図８、図１０に示すように、空気噴射装置１をレール２７に沿って前進させ回動支点２６で９０度回転して、ホース２２の先端に装着し、吸引管３、噴射管８をそれぞれ９０度回転させて前方に向ける。ここで、電気掃除機本体２１を運転し吸引を始めると、噴射口７よりブロアーが発生する。
【００４２】
以上のように本実施の形態によれば、通常の吸引による掃除ができると共に、ブロアーが必要な際には、簡単な操作で空気噴射装置１をホース２２の先端に装着できるもので、ブロアー掃除できる便利な電気掃除機を提供できる。
【００４３】
（実施の形態４）
図１１は、本発明の第４の実施の形態における電気掃除機の手元操作部の構成を示す図、図１２は、同手元操作部に設けた空気噴射装置の使用時の様子を示す図である。なお、上記実施の形態と同一構成部品については同一符号を付して説明を省略する。図１１、図１２において、本実施の形態における電気掃除機は、排出口４を吸引室６の吸引ファン５を介した反対側に設けた空気噴射装置１を、手元操作部２５の下方の先端に設けた回動支点２６に、９０度の範囲で回転自在に装備したものである。
【００４４】
以上のように構成された本実施の形態における電気掃除機の動作を説明する。通常の吸引による掃除を行うときは、図１１に示すように、空気噴射装置１は、ホース２２の手元操作部２５の下方に保持されており、なんら支障なく吸引掃除を行うことが出来る。そして、ブロアーによる掃除が必要になった際には、図１２に示すように、空気噴射装置１を回動支点２６を回転中心にして９０度回転して、ホース２２の先端に装着し、電気掃除機本体２１による吸引を始めると、噴射口７よりブロアーが発生する。
【００４５】
以上のように本実施の形態によれば、上記実施の形態３と同様の効果が得られる上に、使用時、収納時共に前後長は長くなるものの、上下方向の薄い形態で、且つレール２７や吸引管３や噴射管８の垂直方向９０度回転の構成の必要ない、簡単構成で低コストのブロアー掃除ができる便利な電気掃除機を提供できる。
【産業上の利用可能性】
【００４６】
以上のように、本発明に係る空気噴射装置及びそれを用いた電気掃除機によれば、吸引室に吸引力が作用することで噴射口から空気を噴射するもので、電気掃除機等の吸引発生装置の形態に左右されず、衛生的なブロアー機能とブロアーで吹き飛ばした塵を回収することが出来るので、吸引だけでは掃除できない場所も簡単に掃除できる、使い勝手のよい空気噴射装置及びそれを用いた電気掃除機を提供することが可能となる。
【符号の説明】
【００４７】
１  空気噴射装置
２  吸引口
４  排出口
５  吸引ファン
６  吸引室  
７  噴射口
９  第２の吸引口
１０  噴射ファン
１１  噴射室  
１２  連結部（回転部）
１４  回転軸（動力伝達手段）
１５  カバー
１６  回転軸Ａ
１７  回転軸Ｂ
２０  保持体
２１  電気掃除機本体
２２  ホース
【図８】
2011147629.tif 000003
【図１】
2011147629.tif 000004
【図２】
2011147629.tif 000005
【図３】
2011147629.tif 000006
【図４】
2011147629.tif 000007
【図５】
2011147629.tif 000008
【図６】
2011147629.tif 000009
【図７】
2011147629.tif 000010
【図９】
2011147629.tif 000011
【図１０】
2011147629.tif 000012
【図１１】
2011147629.tif 000013
【図１２】
2011147629.tif 000014
【図１３】
2011147629.tif 000015
【図１４】
2011147629.tif 000016
【図１５】
2011147629.tif 000017